(57)【要約】  解体可能なベッドベースは、複数の細長いフレーム部材（１０）と、床上に静止するための脚部（１６）、および細長い部材（１０）のうちの１つの一端を受け入れるようにサイズ設定された少なくとも２つの開口（１８）をそれぞれが含む複数のフレーム支持部材（１２）とを含む。フレーム支持部材（１２）は、共に床に平行であるフレーム部材（１０）を保持し、それによりベッドベース用の組み立てられたフレームを形成する。複数のマットレス支持部材（１４）はそれぞれ、マットレスを上に受けるための平坦な上部表面（２０）を有する。複数のフレーム係合構成物（２２）は、組み立てられたフレームによってマットレス支持部材（１４）が水平位置で安全に保持されることを可能にし、それによりマットレス支持部材（１４）の上部にマットレスを受ける。
2018535063.tif 000002
【特許請求の範囲】
【請求項１】
複数の細長いフレーム部材と、
複数のフレーム支持部材であって、それぞれが、床上に静止するための脚部、および前記細長い部材のうちの１つの一端を受け入れるようにサイズ設定された少なくとも２つの開口を含み、それにより前記脚部が前記床上に静止しているときフレーム支持部材が共に前記床に平行であるフレーム部材を保持し、使用時、複数の細長い部材が複数のフレーム支持部材に接続され、それにより前記ベッドベース用の組み立てられたフレームを形成する、フレーム支持部材と、
複数のマットレス支持部材と
を備え、各マットレス支持部材が、マットレスを上に受けるための平坦な上部表面と、複数のフレーム係合構成物とを有し、その結果、前記複数のマットレス支持部材を、前記組み立てられたフレームによって水平位置で安全に保持することができ、それにより前記マットレス支持部材の上部にマットレスを受ける、解体可能なベッドベース。
【請求項２】
前記細長いフレーム部材には、少なくとも１つの溝が形成されている、請求項１に記載の解体可能なベッドベース。
【請求項３】
前記フレーム係合構成物は、前記フレーム部材内に形成された前記溝と係合するように形作られ、それにより、前記複数のマットレス支持部材を前記フレーム部材に安全に保持する、請求項２に記載の解体可能なベッドベース。
【請求項４】
前記フレーム支持部材内の前記開口には、前記フレーム部材内の前記溝内に嵌合するようにサイズ設定された突起が形成されている、請求項２または請求項３に記載の解体可能なベッドベース。
【請求項５】
前記マットレス支持部材のそれぞれは、その少なくとも３つの側部にフレーム係合構成物を有する、請求項１から請求項４のいずれか一項に記載の解体可能なベッドベース。
【請求項６】
２つの開口を有する４つのコーナーフレーム支持部材と、３つの開口を有する２つの中間フレーム支持部材とを含む、請求項１から請求項５のいずれか一項に記載の解体可能なベッドベース。
【請求項７】
４つの開口を有する中央フレーム支持部材をさらに含む、請求項６に記載の解体可能なベッドベース。
【発明の詳細な説明】
【技術分野】
【０００１】
本出願は、解体可能なベッドベースに関する。
【背景技術】
【０００２】
様々なシナリオで使用することができる多種多様なベッドおよびベッドベースがある。しかし、輸送および保管のために容易に組み立て、分解することができる可搬のベッドベースはない。
【発明の概要】
【発明が解決しようとする課題】
【０００３】
本発明はこれに対処し、解体可能なベッドベースを提供する。
【課題を解決するための手段】
【０００４】
例示的な一実施形態によれば、解体可能なベッドベースは、
複数の細長いフレーム部材と、
複数のフレーム支持部材であって、それぞれが、床上に静止するための脚部、および細長い部材のうちの１つの一端を受け入れるようにサイズ設定された少なくとも２つの開口を含み、それにより脚部が床上に静止しているときフレーム支持部材が共に床に平行であるフレーム部材を保持し、使用時、複数の細長い部材が複数のフレーム支持部材に接続され、それによりベッドベース用の組み立てられたフレームを形成する、フレーム支持部材と、
複数のマットレス支持部材とを備え、各マットレス支持部材が、マットレスを上に受けるための平坦な上部表面と、複数のフレーム係合構成物とを有し、その結果、複数のマットレス支持部材を、組み立てられたフレームによって水平位置で安全に保持することができ、それによりマットレス支持部材の上部にマットレスを受ける。
【０００５】
細長いフレーム部材には、少なくとも１つの溝が形成されていてもよい。
【０００６】
一例では、フレーム係合構成物は、フレーム部材内に形成された溝と係合するように形作られ、それにより、複数のマットレス支持部材をフレーム部材に安全に保持する。
【０００７】
フレーム支持部材内の開口には、フレーム部材内の溝内に嵌合するようにサイズ設定された突起が形成されていてもよい。
【０００８】
さらに、マットレス支持部材のそれぞれは、その少なくとも３つの側部にフレーム係合構成物を有してもよい。
【０００９】
解体可能なベッドベースは、２つの開口を有する４つのコーナーフレーム支持部材と、３つの開口を有する２つの中間フレーム支持部材とを含んでもよい。
【００１０】
さらに、解体可能なベッドベースは、４つの開口を有する中央フレーム支持部材をさらに含んでもよい。
【図面の簡単な説明】
【００１１】
【図１】本発明による解体可能なベッドベースと共に使用するためのフレーム支持部材の図である。
【図２】本発明による解体可能なベッドベースと共に使用するためのフレーム支持部材の図である。
【図３】本発明による解体可能なベッドベースと共に使用するためのフレーム支持部材の図である。
【図４】本発明による解体可能なベッドベースと共に使用するためのフレーム部材の斜視図である。
【図５】本発明による解体可能なベッドベースと共に使用するための２つのマットレス支持部材の斜視図である。
【図６】本発明による解体可能なベッドベースの例示的な一実施形態の分解図である。
【図７】組み立てられた並べ方の図６の解体可能なベッドベースの図である。
【図８】本発明による解体可能なベッドベースの別の例示的な実施形態の分解図である。
【図９】組み立てられた並べ方の図８の解体可能なベッドベースの図である。
【図１０】輸送および／または保管の準備ができている解体された並べ方の解体可能なベッドベースの図である。
【発明を実施するための形態】
【００１２】
添付の図を参照すると、解体可能なベッドベースは、複数の細長いフレーム部材１０、複数のフレーム支持部材１２、および複数のマットレス支持部材１４を含む。
【００１３】
これらの構成部品は、使用時、下記でより詳細に述べるようにマットレスを配置することができるベッドベースを形成するように共に組み立てることができる。
【００１４】
図１から図３を参照すると、フレーム支持部材１２は、使用時、床上に静止するための脚部１６をそれぞれが有する。
【００１５】
少なくとも２つの開口１８は、細長い部材１０のうちの１つの一端を受け入れるようにサイズ設定され、それによりフレーム支持部材が少なくとも２つのフレーム部材に共に接合し、これらのフレーム部材は、脚部が床上に静止しているとき床に平行である。
【００１６】
使用時には、複数の細長いフレーム部材１０が複数のフレーム支持部材１２に接続され、それによりベッドベース用の組み立てられたフレームを形成する（図６〜図９で最もよくわかる）。
【００１７】
図１〜図３は、フレーム支持部材の様々な構成を示し、図１は、２つの開口１８を有するコーナーフレーム支持部材を示し、図２は、４つの開口１８を有する中央フレーム支持部材を示し、図３は、３つの開口１８を有する中間フレーム支持部材を示す。
【００１８】
解体可能なベッドベースは、複数のマットレス支持部材１４をも含み、各マットレス支持部材が、マットレスを上に受けるための平坦な上部表面２０と、複数のフレーム係合構成物２２とを有し、その結果、下記でより詳細に述べるように、複数のマットレス支持部材１４を、組み立てられたフレームによって水平位置で安全に保持することができ、それによりマットレス支持部材の上部にマットレスを受ける。
【００１９】
図の実施形態では、マットレス支持部材１４のそれぞれは、その３つの側部にフレーム係合構成物２２を有する。
【００２０】
図４に戻ると、細長いフレーム部材１０には、少なくとも１つの溝２４が形成されている。
【００２１】
図の実施形態では、細長いフレーム部材１０には、フレーム部材の両側に２つの溝２４が形成されている。
【００２２】
フレーム係合構成物２２は、これらの溝２４と係合するように形作られ、それにより、ベッドベースが組み立てられたとき複数のマットレス支持部材をフレーム部材に安全に保持する。
【００２３】
さらに、フレーム支持部材１２内の開口１８には、フレーム部材内の溝内に嵌合するようにサイズ設定された突起２６が形成されている。
【００２４】
これはフレーム部材１０が開口１８内に挿入された後で回転するのを防止することを理解されたい。
【００２５】
また、フレームをさらに安定させるために、必要に応じてさらなるブレースを追加することができることを理解されたい。
【００２６】
使用時には、解体可能なベッドベースは、以下のように稼働する。まず、解体可能なベースは、図１０に示されている短縮された並べ方で保管および輸送される。
【００２７】
ユーザがベースを立てたいと望む位置にベースがあるとき、ユーザは、まずフレーム部材１０とフレーム支持部材１２を共に接続する。これは、突起２６が溝１８に滑り込むようにフレーム部材１０をフレーム支持部材１２内の開口１８に正しい向きで滑り込ませることによって行われる。
【００２８】
これらが組み立てられた後で、マットレス支持部材１４が組み立てられたフレーム構造の上部に配置され、フレーム係合構成物２２もまた溝２４と係合し、マットレス支持部材１４が動くのを防止する。
【００２９】
代替として、またはそれに加えて、部材１４と関連のフレーム部材１０を通して穴を形成しておくことができ、穴同士が位置合わせされたとき穴を通して締結具を挿入し、これら２材を共に接続することができる。
【００３０】
使用することができる締結具の一例は、雄／雌タイプの締結具であり、雄締結具は、ねじ山を有し、雌締結具は、相補的なねじ山を有し、その結果、これら２つを共に接続することができる。
【００３１】
次に、ベースは、マットレスを受けることができる（図７または図９、図７は、ダブルベッドマットレスのものであり、図９は、シングルベッドマットレスのものである）。
【００３２】
解体可能なベッドベースは、保管／輸送形態になるように容易に解体され、必要に応じてユーザが移動させることができ、または従来のベッドベースより少ない占有空間でより容易に保管することができるベースを提供することを理解されたい。
【００３３】
さらに、ベッドベースを組み立てるために工具は必要とされない。
【図１】
2018535063.tif 000003
【図２】
2018535063.tif 000004
【図３】
2018535063.tif 000005
【図４】
2018535063.tif 000006
【図５】
2018535063.tif 000007
【図６】
2018535063.tif 000008
【図７】
2018535063.tif 000009
【図８】
2018535063.tif 000010
【図９】
2018535063.tif 000011
【図１０】
2018535063.tif 000012
【国際調査報告】
2018535063.tif 000013
2018535063.tif 000014